(57)【特許請求の範囲】
【請求項１】
計量小出しされる液状またはペースト状の製品（特に、化粧品）（５）を収容する収縮性溜め（１）および押しボタン（１０）の作用で変化する容積を有するチャンバー（１９）を具備し、該溜めが第１弁（９）を介して該チャンバーと連絡し、該チャンバーが第２弁（２７）を介して外部と連絡する該製品用ディスペンサーにおいて、
（ｉ）押しボタン（１０）の本体が、溜め（１）と一体化した固定ピストン（８）と共に可変性容積を有するチャンバー（１９）を形成し、
（ii）押しボタン（１０）の本体が開口部（２０、２５）を有する２つの部材（１０ａ、１０ｂ）から構成され、
（iii）２つの部材（１０ａ、１０ｂ）が第１位置と第２位置の間において相互に回転可能であり、
（iv）第１位置において２つの部材（１０ａ、１０ｂ）の開口部（２０、２５）が相互に重なり合い、
（ｖ）第２位置において２つの部材（１０ａ、１０ｂ）の開口部（２０、２５）が相互に重なり合わず、チャンバー（１９）内の製品（５）が第２弁（２７）まで到達しないために押しボタン（１０）が不動化される
ことを特徴とするディスペンサー。
【請求項２】
押しボタン（１０）の２つの部材（１０ａ、１０ｂ）の開口部（２０、２５）が、チャンバー（１９）がダクト（２６）を介して第２弁（２７）と連絡して外部に通じる位置に近接して配設される請求項１記載のディスペンサー。
【請求項３】
チャンバー（１９）が第１弁（９）を備えた固定ピストン（８）によって形成され、該ピストン上を押しボタン（１０）の下方部材（１０ｂ）と一体化した可動性シリンダー（１１）が摺動し、該部材が、可動性シリンダー（１１）の周囲に配設されたばね（１６）および溜め（１）の上部に形成された空洞内の固定ピストン（８）によって押し返えされる請求項１または２記載のディスペンサー。
【請求項４】
押しボタン（１０）が、押しボタンの下方部材（１０ｂ）と一体成形されたばね（１６）によって上方へ押し返えされる請求項１または２記載のディスペンサー。
【請求項５】
押しボタン（１０）の下方部材（１０ｂ）が周縁部にスカート（１３）を備えたフランジ（１２）を有し、該スカートが、容器の上方部を封止するストッパー（２）の環状空洞の周縁内部面を摺動する請求項３または４記載のディスペンサー。
【請求項６】
溜め（１）が可撓性の溜めであり、その容積が、収容する製品の消費と共に減少する請求項１から５いずれかに記載のディスペンサー。
【請求項７】
溜め（１）が従動ピストンを備えた部材を有し、該ピストンが、溜めに収容された製品の消費と共に溜めの容積を徐々に減少させる請求項１から５いずれかに記載のディスペンサー。
【請求項８】
押しボタン（１０）の下方部材（１０ｂ）と上方部材（１０ａ）が、第２弁（２７）に達するダクト（２６）の開放位置と閉鎖位置の視覚的確認を可能にする弁を有する請求項１から７いずれかに記載のディスペンサー。
【発明の詳細な説明】
【０００１】
【発明の属する技術分野】
この発明は液状またはペースト状の製品(特に化粧品)を計量小出しするためのディスペンサー(dispenser)に関する。
【０００２】
【従来の技術】
既知のディスペンサーは計量小出しされる液状またはペースト状製品を収容する溜め(reservoir)および、例えばシリンダーとピストンから形成される可変性容積を有するチャンバーを備えており、溜めは第１弁を介して該チャンバーと連絡し、該チャンバーは第２弁を介してディスペンサーの外部と連絡する。この場合、押ボタンを用いて該チャンバーの容積を変化させることによってもたらされるポンプ作用により、該製品は溜めから該チャンバーを経由してディスペンサーの外部へ供給される。
【０００３】
この種の既知のディスペンサーには次の様な欠点がある。即ち、何んらかの理由で容器内に過圧が発生すると、これに対抗する２つの弁が開放されて液状またはペースト状の製品はディスペンサーから流出し、これによってディスペンサーの漏洩防止能は悪影響を受ける。
さらに、剛直な非収縮性の溜めを備えたディスペンサーの場合には、ディスペンサーによって容器から取り出される製品と徐々に置換する空気を通過させるための開口部が必要となり、該開口部はディスペンサーの漏洩防止能を損なう原因となる。
【０００４】
【発明が解決しようとする課題】
本発明は、簡単で有効な手段を用い、製品を排出させる押ボタンを不動化させることによって既知のディスペンサーの上記問題点を解決するためになされたものである。
【０００５】
【課題を解決するための手段】
即ちこの発明は、計量小出しされる液状またはペースト状の製品(特に、化粧品)を収容する収縮性溜めおよび押ボタンの作用で変化する容積を有するチャンバーを具備し、該溜めが第１弁を介して該チャンバーと連絡し、該チャンバーが第２弁を介して外部と連絡する該製品用ディスペンサーにおいて、
(i)押ボタンの本体が、溜めと一体化した固定ピストンと共に可変性容積を有するチャンバーを形成し、
(ii)押ボタンの本体が開口部を有する２つの同軸部材から構成され、
(iii)２つの部材が第１位置と第２位置の間において相互に回転可能であり、
(iv)第１位置において２つの部材の開口部が相互に重なり合い、
(v)第２位置において２つの部材の開口部が相互に重なり合わず、チャンバー内の製品が第２弁まで到達しないために押ボタンが不動化される
ことを特徴とするディスペンサーに関する。
【０００６】
【発明の実施の形態】
本発明の一つの好ましい態様においては、押ボタンの２つの部材には可動制限手段が設けられており、これらの部材は相互に回転可能であるが、この回転は、外部弁に対するダクト開口部が開放する位置と閉鎖する位置との間に制限される。この場合、この開放位置と閉鎖位置を外部から視覚的に確認できる手段を設けるのが好ましい。
【０００７】
本発明の別の好ましい態様においては、押ボタンの２つの部材の連絡用開口部を、可変性容積を有するチャンバーが外部に開口する第２弁と連絡する位置に近接して配設する。
【０００８】
本発明の他の好ましい態様においては、可変性容積を有するチャンバーは第１弁を備えた固定ピストンによって形成され、該ピストン上を押ボタンの下方部材と一体化した可動性シリンダーが摺動し、該部材は該シリンダーの周囲に配設されたばねおよび溜めの上部に形成された空洞内の固定ピストンによって押し返えされる。
【０００９】
さらに別の態様においては、ばねは、押ボタンの下方部材と一体化した部材としてプラスチックを成形することによって形成される。
【００１０】
ピストンの弁は、相互に自動的に圧迫する２つのリップによって形成されていてもよく、あるいは、弾性的に押し返えされてピストン内の開口部で嵌合するシャッターによって形成されていてもよい。
【００１１】
【実施例】
本発明の特徴の理解をより容易にするために、本発明の実施例を添付図に基づいて説明するが、該実施例は本発明を例示的に説明するものであり、本発明を限定するものではない。
図１は、本発明による第一態様のディスペンサーの模式的縦断面図である。
図２は、図１に示す態様の可変性容積を有するチャンバーを形成する押ボタンの２つの部材の部分的斜視図である。
図３は本発明による第二態様のディスペンサーの一部を示す模式的縦断面図である。
図４は図３のＩＶ−ＩＶ線に沿った断面図である。
【００１２】
図１はストッパー(２)を備えた可撓性溜め(１)を示す。該ストッパーの周縁部(３)は、該可撓性溜め(１)を包囲する剛直な容器(４)の上部に嵌合固定される。溜め(１)の上方部(６)は溶接または接着剤によってストッパー(２)の外部周縁部と接合される。溜め(１)の下部端から計量小出し用製品(５)を注入した後、溜め(１)は底部(１a)で溶接される。溜め(１)は製品(５)の計量小出しに伴って収縮変形するので、大気と連絡させる開口部は不要となる。
【００１３】
ストッパー(２)はその軸方向に延びた管状部(７)を備えており、該管状部の上部には、中央部に開口部を有するピストン(８)が配設され、該ピストンは不使用時には閉鎖している第１弁(９)を形成する。
【００１４】
押ボタン(１０)は、フランジ(１２)とスカート(１３)を備えたシリンダー(１１)によって形成される下方部材(１０b)を有しており、該シリンダーの周縁部は、ストッパー(２)の内壁によって限定される環状凹部の内壁上を摺動する。ストッパー(２)の内壁に配設された環状突起部(１４)および押ボタンのスカート(１３)の外部周縁部に配設された環状突起部(１５)は、ストッパー(２)の環状空間内に収納されたばね(１６)の作用による押ボタンの上方への移動を制限する。ディスペンサーの組立に際しては、環状突起部(１５)と(１４)の嵌合は、ディスペンサーの種々の構成部材を形成するプラスチックの弾性によって容易におこなわれる。
【００１５】
ストッパー(２)の管状部(７)の下方には、下部端で有孔盤(１８)を介して一体化した数本のストリップ(１７)が配設される。これらのストリップ(１７)は製品(５)が徐々に消費されるに伴って可撓性溜め(１)の収縮を制限し、押ボタン(１０)の内部に形成される可変容積を有するチャンバー(１９)内へ供給されない製品の一部を残留させるようなポケットの形成を防止する。即ち、ストリップ(１７)を配設することにより、溜め(１)内の製品(５)の量に関係なく、製品(５)をチャンバー(１９)まで流通させる軸方向のダクトが常に存在することになる。
【００１６】
押ボタン(１０)の円筒状部(１１)の上部端の側部には開口部(２０)が配設される。押ボタン(１０)の上方部材(１０a)は第１の円筒状の外部スカート(２２)を有しており、該スカートの環状リブ(２３)は押ボタン(１０)の下方部材(１０b)の円筒状部(１１)の対応する凹部と嵌合して固定される。押ボタン(１０)の上方部材(１０a)は、円筒状部(１１)の別の側に位置する第２の円筒状の内部スカート(２４)を有する。
【００１７】
スカート(２４)は開口部(２５)を有しており、該開口部は、図１に示すように、押ボタンの上方部材(１０a)を下方部材(１０b)に対して回転させることによって、円筒状部(１１)の開口部と一致する。この位置において、開口部(２０)と(２５)は、ディスペンサーの外部に開口する第２弁(２７)と連接するダクト(２６)と連絡する。
【００１８】
図２は、押ボタン(１０)の上方部材(１０a)の部分的斜視図および下方部材(１０b)の斜視図である。押ボタンの上方部材(１０a)のスカート(２２)の内部表面上に形成された対応する突起部と嵌合するスロット(２３)は上方部材(１０a)を下方部材(１０b)上に保持すると共に、後者の垂直軸のまわりで前者の回転を可能にする。図示していない制限ストッパーは、押ボタンの下方部材(１０b)に対する上方部材(１０a)の回転角を制限し、第１の位置においては開口部(２０)と(２５)は重なり合い、第２の位置においては両者は重ならなくなる。
【００１９】
本発明の好ましい態様によれば、下方部材(１０b)のスカート(１３)は、図２に示すように、剛直な容器(４)の全体的な形態に対応する卵形の輪郭を有する。この卵形輪郭の利点は、押ボタン(１０)の下方部材(１０b)の上方部材(１０a)の移動に伴う回転が防止されると共に、開口部(２０)と(２５)が重なり合う位置と重なり合わない位置との間の移行が容易になることである。
【００２０】
ディスペンサーから製品(５)を計量小出しするためには、開口部(２０)と(２５)が重なり合う位置まで押ボタン(１０)の上方部材(１０a)を回転させた後、押ボタン(１０)を図１の矢印Ｆの方向に押して可変性容積を有するチャンバー(１９)の容積を減少させることによってばね(１６)を圧縮することが必要である。押ボタンに加わる力を除くと、ばね(１６)は押ボタンを上方へ押し返すので、チャンバー(１９)の内部の圧力が低下し、溜め(１)内の製品(５)が該チャンバー内に流入する。
【００２１】
チャンバー(１９)が空のときには、押ボタンを矢印Ｆの方向に連続的に数回押しつけることによってチャンバー(１９)とダクト(２６)内へ製品(５)を満たす(該製品はその後で第２弁(２７)を押し返して外部へ排出される)。小出しのための計量が終った後、押ボタン(１０)を押すことによってダクト(２６)とチャンバー(１９)内の製品を第２弁(２７)を通して外部へ排出させる。この場合、チャンバー(１９)内の過圧のために、溜め(１)と連絡する第１弁(９)は閉鎖状態にある。
【００２２】
押ボタンの上方部材(１０a)を回転させて開口部(２０)と(２５)が重ならないようにして開口部(２０)を内部スカート(２４)で閉鎖すると、チャンバー(１９)内の製品は該チャンバーから排出されなくなり、押ボタン(１０)の下方への移動は不可能となる。この結果、第２弁(２７)とスカート(２４)との間のダクト(２６)内の製品(５)がディスペンサーの外部へ漏洩する危険はなくなる。
【００２３】
別の効果として、押ボタンが偶発的に押圧されたときでもスカート(２２)が円筒状部(１１)から分離する危険はなくなるが、これはスロット(２３)がダクト(２６)から離れているからである。換言すれば、押ボタンの回転可能な部材をサポーターとして機能する他の部材上に保持する機能をする領域が、開口部(２０)と(２５)が重なり合わないときにサポーターとして機能する部材の内部の製品から離れているからである。
【００２４】
図３および図４は本発明によるディスペンサーの第２の態様を示すものである。この場合も容器の上方部にはストッパー(２)が配設され、該ストッパーは、スカート(１３)を有するフランジ(１２)を備えた円筒状部(１１)から構成される下方部材(１０b)から形成される押ボタンを有する。この態様においては、押ボタンを上方へ押し返えすばね(１６)は、プラスチックにより一体形成されたスカート(１３)と共に単一の部材を形成する。
【００２５】
図３において、固定ピストン(８)の弁は、周縁部が開口部(９a)で包囲されたスタブ(stub)(９)によって形成されており、該開口部を通して溜め内の製品が通過する。スタブ(９)は、ストッパー(２)と一体化した筒状部(７)の上部に形成された開口部(９b)を弾性的に押圧する。押ボタン(１０)を下方に押しつけた後、解放すると、チャンバー(１９)内が減圧されるのでスタブ(９)が持ち上げられ、これによって溜め内の製品は開口部(９b)と(９a)を通ってチャンバー(１９)内へ流入する。ここで、押ボタン(１０)を再び押し下げると、前記の第１態様の場合のように、チャンバー内の製品はダクト(２５)と(２６)を通って外部へ排出される。
【００２６】
図４は押ボタン(１０)の円筒状部(１１)を示すものであり、該円筒状部は、その周縁部の約４分の１にわたって凹部(１１c)を限定する２つの制限ストップ(１１a)と(１１b)を有する。図４に示すように、押ボタンの上方部材(１０a)は円筒状壁部(２２)の内部にリブ(２２a)を有しており、該リブは制限ストップ(１１a)と(１１b)と共働することによって、押ボタンの上方部材(１０a)の図３に示す第１の位置と添付図に示していない第２の位置の間での回転を制限する。第１の位置においては、開口部(２０)、(２５)および(２６)は重なり合い、第２の位置においては、円筒状部(１１)の上部の開口部(２０)は開放されず、開口部(２５)と(２６)の間の流通が封止されるので、押ボタン(１０)が押し下げられてもチャンバー(１９)内の製品が外部へ排出されることはない。
【００２７】
本発明によるディスペンサーは、プラスチックの成形により簡単な形態で少ない数の構成部材を用いて製造することができる。
【００２８】
本発明は前述の態様に限定するものではなく、本発明の範囲内においては多数の変形態様が可能である。特に、可撓性溜め(１)は、製品の消費に伴って可使容積が徐々に減少する従動ピストン(follower  piston)を備えた溜めで代替させてもよい。
【００２９】
【発明の効果】
本発明によるディスペンサーは簡単で経済的な構造を有するものであるが、該ディスペンサーを用いることによって、液状またはペースト状の製品(特に化粧品)の外部への望まない漏洩を完全に防止することができ、該製品の計量小出しを安全におこなうことができる。
【図面の簡単な説明】
【図１】  本発明によるディスペンサーの一態様を示す模式的縦断面図である。
【図２】  図１に示す可変性容積を有するチャンバーを形成する押ボタンの２つの部材の斜視図である。
【図３】  本発明によるディスペンサーの別態様の一部を示す模式的縦断面図である。
【図４】  図３のＩＶ−ＩＶ線に沿った断面図である。
【符号の説明】
１      可撓性溜め
２      ストッパー
４      容器
５      製品
８      ピストン
９      第１弁
１０      押ボタン
１１      シリンダー
１２      フランジ
１３      スカート
１６      ばね
１７      ストリップ
１９      チャンバー
２６      ダクト
２７      第２弁
【図１】
0003635594.tif 000002
【図２】
0003635594.tif 000003
【図３】
0003635594.tif 000004
【図４】
0003635594.tif 000005